(57)【要約】【課題】撮影レンズの手動焦点調整を容易に行うことができ、且つ高い精度でユーザーの意図した箇所に合焦させることが可能な撮像装置を提供する。【解決手段】デジタルカメラ２は、ＭＦモード下において、複数のエリア３１からなる分割パターン３０を、ＬＣＤ２０の表示画面２０ａに表示する。ＣＰＵ５１は、輪郭抽出処理回路５６および信号積算回路５７で積算した１エリア分の輪郭信号および画像信号を元に、そのエリアの合焦状態を表すフォーカス評価値ｆｎを算出する。ＣＰＵ５１は、算出したｆｎと、ＳＤＲＡＭ５５のレジスタＲｎに記憶された履歴とを比較して、この比較結果からエリア３１が合焦しているか否かを判断し、合焦を検出したエリア３１と、それ以外のエリア３１とを区別して表示する。【選択図】        図６
2004309915.tif 000002
【特許請求の範囲】
【請求項１】
撮影レンズの焦点を手動で合わせる際に操作されるフォーカス調節部材と、前記撮影レンズにより取り込まれた被写体画像を表示する画像表示手段とを備えた撮像装置において、
前記フォーカス調節部材の操作時に、前記画像表示手段の表示画面を複数のエリアに分割するとともに、
前記エリアの合焦状態をエリア毎に区別して表示する表示制御手段を設けたことを特徴とする撮像装置。
【請求項２】
前記被写体画像を表す画像信号を前記エリア別に分割する画像信号分割手段と、
分割した画像信号に輪郭抽出処理を施して、抽出した１エリア分の輪郭信号を積算する輪郭抽出・積算手段と、
１エリア分の画像信号を積算する画像信号積算手段と、
積算した１エリア分の輪郭信号および画像信号を元に、そのエリアの合焦状態を表すフォーカス評価値を算出する評価値算出手段と、
算出したフォーカス評価値を記憶する評価値記憶手段と、
算出したフォーカス評価値、および前記評価値記憶手段に記憶されたフォーカス評価値の履歴を比較して、この比較結果から前記エリアの合焦状態を検出する合焦状態検出手段とを備えたことを特徴とする請求項１に記載の撮像装置。
【請求項３】
前記合焦状態検出手段は、算出したフォーカス評価値と前回の履歴との比較結果から、前記フォーカス調節部材の移動方向が合焦に向かう方向であるか否かを判断することを特徴とする請求項２に記載の撮像装置。
【請求項４】
前記評価値記憶手段は、特定の操作部材が操作されたときに、記憶されていた履歴をそのときに算出したフォーカス評価値に更新して記憶することを特徴とする請求項２または３に記載の撮像装置。
【請求項５】
前記フォーカス調節部材の移動・移動方向を検出する移動・移動方向検出手段を備えたことを特徴とする請求項２に記載の撮像装置。
【請求項６】
前記合焦状態検出手段は、算出したフォーカス評価値と前回、前々回の履歴との比較結果から、前記エリアが合焦しているか否かを判断することを特徴とする請求項５に記載の撮像装置。
【請求項７】
前記表示制御手段は、前記表示画面を分割する複数の分割パターンを表示可能であるとともに、
この複数の分割パターンを選択的に設定する分割パターン設定手段を設けたことを特徴とする請求項１乃至６に記載の撮像装置。
【発明の詳細な説明】
【０００１】
【発明の属する技術分野】
本発明は、撮影レンズの焦点を手動で合わせる際に操作されるフォーカス調節部材と、撮影レンズにより取り込まれた被写体画像を表示する画像表示手段とを備えた撮像装置に関する。
【０００２】
【従来の技術】
ＣＣＤイメージセンサなどの撮像素子で撮像した被写体画像をデジタルの画像データに変換し、内蔵メモリやメモリカードなどの記憶媒体に記録するデジタルカメラが普及している。このようなデジタルカメラには、フォーカスリングなどの調節部材を操作することにより、撮影レンズの焦点を手動で合わせることができるマニュアルフォーカス機能を備えたものがある。
【０００３】
上記のようなマニュアルフォーカス機能を備えたデジタルカメラには、撮影者の注視点の位置を検出し、この注視点に対応する撮影レンズの焦点検出領域を選択して、選択された領域の焦点検出状態を合焦マークとしてファインダに表示するもの（特許文献１参照）や、フォーカスリングを動かしたときのフォーカス状態に対応した数字をモニタに表示するもの（特許文献２参照）が提案されている。
【０００４】
また、被写体の撮影後、フォーカス測距点付近の画像を液晶表示器の表示画面全体に表示するもの（特許文献３参照）や、フォーカスリングの位置に応じて被写体の距離信号を出力する距離信号出力手段と、撮影範囲における複数の被写体距離を測距する測距手段とを備え、距離信号と被写体距離とがほぼ一致した被写体を選択して、選択された被写体を任意の倍率で液晶表示器に表示するもの（特許文献４参照）が提案されている。
【０００５】
【特許文献１】
特開平７−３１１３３０号公報
【特許文献２】
特開平９−３２５３９７号公報
【特許文献３】
特開２０００−１２５１７８号公報
【特許文献４】
特開２００２−１５６６７２号公報
【０００６】
【発明が解決しようとする課題】
特許文献１〜４に記載される装置では、距離の異なる被写体が混在するシーンを撮影する場合、合焦している箇所を正確に特定することができない。特に顔のアップを撮影するポートレートモードのように、撮影レンズの絞り値を開放にした状況では、ユーザーの意図した箇所に合焦調整を行うことが困難であった。
【０００７】
本発明は、撮影レンズの手動焦点調整を容易に行うことができ、且つ高い精度でユーザーの意図した箇所に合焦させることが可能な撮像装置を提供することを目的とする。
【０００８】
【課題を解決するための手段】
上記目的を達成するために、本発明は、撮影レンズの焦点を手動で合わせる際に操作されるフォーカス調節部材と、前記撮影レンズにより取り込まれた被写体画像を表示する画像表示手段とを備えた撮像装置において、前記フォーカス調節部材の操作時に、前記画像表示手段の表示画面を複数のエリアに分割するとともに、前記エリアの合焦状態をエリア毎に区別して表示する表示制御手段を設けたことを特徴とする。
【０００９】
なお、前記被写体画像を表す画像信号を前記エリア別に分割する画像信号分割手段と、分割した画像信号に輪郭抽出処理を施して、抽出した１エリア分の輪郭信号を積算する輪郭抽出・積算手段と、１エリア分の画像信号を積算する画像信号積算手段と、積算した１エリア分の輪郭信号および画像信号を元に、そのエリアの合焦状態を表すフォーカス評価値を算出する評価値算出手段と、算出したフォーカス評価値を記憶する評価値記憶手段と、算出したフォーカス評価値、および前記評価値記憶手段に記憶されたフォーカス評価値の履歴を比較して、この比較結果から前記エリアの合焦状態を検出する合焦状態検出手段とを備えることが好ましい。
【００１０】
前記合焦状態検出手段は、算出したフォーカス評価値と前回の履歴との比較結果から、前記フォーカス調節部材の移動方向が合焦に向かう方向であるか否かを判断する。また、前記評価値記憶手段は、特定の操作部材が操作されたときに、記憶されていた履歴をそのときに算出したフォーカス評価値に更新して記憶する。
【００１１】
なお、前記フォーカス調節部材の移動・移動方向を検出する移動・移動方向検出手段を備えていてもよい。この場合、前記合焦状態検出手段は、算出したフォーカス評価値と前回、前々回の履歴との比較結果から、前記エリアが合焦しているか否かを判断する。
【００１２】
前記表示制御手段は、前記表示画面を分割する複数の分割パターンを表示可能であるとともに、この複数の分割パターンを選択的に設定する分割パターン設定手段を設けることが好ましい。
【００１３】
【発明の実施の形態】
図１および図２において、本発明を適用したデジタルカメラ２の前面には、撮影レンズ１０を保持するレンズ鏡胴１１が組み込まれている。デジタルカメラ２の上面には、レリーズボタン１２、電源スイッチ１３、およびモードダイヤル１４が設けられており、側面には、メモリカード４８（図６参照）が着脱自在に装填されるメモリカードスロットを覆う蓋１５が設けられている。
【００１４】
レンズ鏡胴１１には、フォーカスリング１６、およびＡＦ／ＭＦ切替スイッチ１７が設けられている。フォーカスリング１６は、レンズ鏡胴１１の外周に回動自在に取り付けられており、撮影レンズ１０の焦点を手動で合わせる（マニュアルフォーカス、ＭＦ）際に回動操作される。ＡＦ／ＭＦ切替スイッチ１７は、オートフォーカス（ＡＦ）、マニュアルフォーカスを切り替える際にスライド操作される。
【００１５】
デジタルカメラ２の背面には、電子ビューファインダ（ＥＶＦ）１８を構成するファインダ接眼窓１９、液晶表示器（ＬＣＤ）２０、および操作部２１が設けられている。ＬＣＤ２０には、撮影した画像やいわゆるスルー画像、各種メニュー画面が表示される。操作部２１は、ＬＣＤ２０にメニュー画面を表示させるメニューボタンや、メニュー画面内でカーソルを移動させるカーソル操作ボタン、選択内容を決定する際に操作される決定ボタンなどから構成される。
【００１６】
デジタルカメラ２では、静止画撮影を行う静止画撮影モード、動画撮影を行う動画撮影モード、撮影した画像をＬＣＤ２０に表示する再生モード、および各種設定を行うセットアップモードが選択可能となっている。これらのモードの切り替えは、モードダイヤル１４を回動操作させることで行われる。
【００１７】
レリーズボタン１２は、２段階押しのスイッチとなっている。ＡＦモード下において、ＥＶＦ１８またはＬＣＤ２０によるフレーミングの後にレリーズボタン１２を軽く押圧（半押し）すると、露光調整、撮影レンズ１０の自動焦点調整などの各種撮影準備処理が施される。撮影準備処理が施された撮像信号は、レリーズボタン１２を離すまでデータロックされる。そして、この状態でレリーズボタン１２をもう１度強く押圧（全押し）すると、撮影準備処理が施された１画面分の撮像信号が画像データに変換された後、メモリカード４８に記録される。
【００１８】
ＭＦモード下において、レリーズボタン１２を半押しすると、ＬＣＤ２０の表示画面２０ａには、スルー画像とともに図３に示す分割パターン３０（パターンＡ）が表示される。この分割パターン３０は、表示画面２０ａを縦横それぞれ６等分した合計３６個のエリア３１からなる。
【００１９】
デジタルカメラ２では、後述する合焦状態の検出を各エリア３１毎に実施し、合焦を検出したエリア３１を太枠の合焦マーク３２（図中１点鎖線で示す）で囲み、それ以外のエリア３１と区別して表示する。この合焦マーク３２が表示されるエリア３１は、フォーカスリング１６の移動に伴って適宜移動する。なお、合焦を検出したエリア３１をそのまま表示し、それ以外のエリア３１を半透明のグレーに表示するなどしてもよい。また、ＬＣＤ２０だけでなく、ＥＶＦ１８に分割パターン３０を表示してもよい。
【００２０】
分割パターン３０には、図３のパターンＡの他に、図４に示すパターンＢ〜Ｄの４種類が用意されており、撮影シーンに応じた選択が可能となっている。分割パターン３０の表示有無（フォーカス補助設定）、および分割パターン３０の選択は、図５に示すようなＭＦモード設定画面をＬＣＤ２０に表示して、操作部２１を操作することにより行われる。なお、レリーズボタン１２とは別に、分割パターン表示用の操作部材を新たに設けてもよく、フォーカス補助設定をオンにしたときに、無条件で分割パターン３０を表示するようにしてもよい。
【００２１】
デジタルカメラ２の電気的構成を示す図６において、撮影レンズ１０の背後には、撮影レンズ１０から入射する被写体光を撮像信号に変換するＣＣＤ４０が配置されている。ＣＣＤ４０で変換された撮像信号は、相関二重サンプリング回路（ＣＤＳ）４１に入力され、ＣＣＤ４０の各セルの蓄積電荷量に正確に対応したＲ、Ｇ、Ｂの画像データとして出力される。ＣＤＳ４１から出力された画像データは、増幅器（図示せず）で増幅され、Ａ／Ｄ変換器４２でデジタルデータに変換される。Ａ／Ｄ変換器４２から出力された画像データは、画像信号処理回路４３、および分割ゲート回路４４に送信される。
【００２２】
画像信号処理回路４３は、階調変換、ホワイトバランス補正、γ補正処理などの各種画像処理を画像データに施す。画像信号処理回路４３で各種処理を施された画像データは、ＹＣ処理回路４５により輝度信号Ｙと色差信号Ｃｒ、Ｃｂとに変換される。圧縮伸長処理回路４６は、この変換された画像データに対して、所定の圧縮形式（例えばＪＰＥＧ形式）で画像圧縮を施す。
【００２３】
圧縮伸長処理回路４６により圧縮された画像データは、カードＩ／Ｆ４７を介してメモリカード４８に保存される。または、ＥＶＦドライバ４９を介してＥＶＦ１８に表示される。あるいは、ＬＣＤドライバ５０によりコンポジット信号に変換され、ＬＣＤ２０に表示される。
【００２４】
ＣＰＵ５１は、システムバス５２を介して各部に接続し、デジタルカメラ２全体の動作を統括制御する。ＣＰＵ５１には、前述のレリーズボタン１２、操作部２１の他に、ＥＥＰＲＯＭ５３、移動・移動方向検出回路５４が接続されている。ＥＥＰＲＯＭ５３には、各種制御用のプログラムや設定情報などが記録されている。ＣＰＵ５１は、これらの情報をＥＥＰＲＯＭ５３から作業用メモリであるＳＤＲＡＭ５５に読み出して、各種処理を実行する。
【００２５】
移動・移動方向検出回路５４は、エンコーダやフォトセンサからなり、フォーカスリング１６の移動、およびその移動方向を検出する。移動方向の検出結果は、ＳＤＲＡＭ５５に一時記録される。ＳＤＲＡＭ５５は、フォーカスリング１６が移動する毎にデータを更新して記録する。
【００２６】
分割ゲート回路４４は、Ａ／Ｄ変換器４２から送信された画像信号を、分割パターン３０（以下、パターンＡを例に挙げて説明する。）のエリア３１別に分割する。分割された画像データは、各エリア３１毎に輪郭抽出処理回路５６および信号積算回路５７に送信される。
【００２７】
輪郭抽出処理回路５６は、分割した画像信号に輪郭抽出処理を施して、抽出した１エリア分の輪郭信号を積算する。信号積算回路５７は、１エリア分の画像信号（例えば輝度値）を積算する。なお、輪郭抽出処理回路５６としては、公知の技術（例えばバンドパスフィルタ）を用いることができる。
【００２８】
積算された１エリア分の輪郭信号および画像信号は、システムバス５２を介してＣＰＵ５１に送信される。ＣＰＵ５１は、１エリア分の輪郭信号をｄｎ、画像信号をｖｎとして、そのエリア３１の合焦状態を表すフォーカス評価値ｆｎを次式により算出する。
ｆｎ＝ｄｎ／ｖｎ      （但しｎ＝１〜３６）
【００２９】
ＣＰＵ５１は、移動・移動方向検出回路５４でフォーカスリング１６の移動を検出したときにｆｎの算出を開始し、上記式に示す演算を３６エリア分順次実行する。算出されたｆｎは、ＳＤＲＡＭ５５内のレジスタＲｎ（図示せず）に記憶される。ここで、ｆｎが大きいほど画像の高周波成分が多く、そのエリアが合焦状態にあることを表している。なお、フォーカス評価値ｆｎを輪郭信号ｄｎ、画像信号ｖｎの比として算出するのは、被写体画像の明るさが急激に変化した場合に、ｆｎが変動することを防ぐことを目的としている。また、蛍光灯のフリッカ現象など、周期的な明るさの変動による影響を抑制するために、輪郭信号ｄｎ、画像信号ｖｎの数フレーム分の平均値を用いてｆｎを算出してもよい。
【００３０】
レジスタＲｎには、ｆｎの現在値ｆｎａを記憶するもの（Ｒｎａ）、前回の履歴ｆｎｂを記憶するもの（Ｒｎｂ）、および前々回の履歴ｆｎｃを記憶するもの（Ｒｎｃ）の３種類があり、合計３６×３＝１０８個分が確保されている。レジスタＲｎａにｆｎａを記憶する際には、前々回の履歴ｆｎｃをＲｎｃから削除し、Ｒｎｂに記憶されていたｆｎｂをＲｎｃに、Ｒｎａに記憶されていたｆｎａをＲｎｂに順次移行させる。
【００３１】
レジスタＲｎに記憶されたｆｎは、ＭＦモード下でレリーズボタン１２が半押しされたとき、または移動・移動方向検出回路５４でフォーカスリング１６の移動を検出し、且つその移動方向が前回と同一でないときに初期化される。
【００３２】
ＣＰＵ５１は、レジスタＲｎからｆｎを読み出して、算出したｆｎと履歴とを比較し、この比較結果からエリア３１が合焦しているか否かを判断する。すなわち、図７に示すように、現在値ｆｎａ、前回の履歴ｆｎｂ、および前々回の履歴ｆｎｃの関係がｆｎｃ＜ｆｎｂ＞ｆｎａで、且つｆｎａ〜ｆｎｃ≧αとなったときに、そのエリアが合焦していると判断し、該当するエリア３１に合焦マーク３２を表示する。ＣＰＵ５１は、レリーズボタン１２の半押しが解除されるか、レリーズボタン１２が全押しされて撮影が実行されるまで、これら一連の処理を実行する。なお、αは、撮影シーンがローコントラストである場合や、レジスタＲｎを初期化した直後の誤検出を防止するために予め設定された閾値である。
【００３３】
次に、上記構成による作用について、図８および図９のフローチャートを参照して説明する。まず、電源スイッチ１３を投入し、モードダイヤル１４を回動操作させて静止画撮影モードを選択する。ＡＦモード、あるいはＭＦモードでフォーカス補助設定がオフであった場合は、通常処理に移行する。
【００３４】
ＭＦモードでフォーカス補助設定がオンであった場合、レリーズボタン１２を半押しすると、ＬＣＤ２０の表示画面２０ａに分割パターン３０が表示され、レジスタＲｎが初期化される。この状態は、移動・移動方向検出回路５４でフォーカスリング１６の移動が検出されるまで保たれる。
【００３５】
フォーカスリング１６が回動操作されると、その移動方向がＳＤＲＡＭ５５に一時記録される。フォーカスリング１６の移動方向が前回と同一でない場合は、レジスタＲｎが初期化され、再び待機状態に戻る。一方、移動方向が前回と同一であった場合は、輪郭抽出処理回路５６および信号積算回路５７で輪郭信号および画像信号が積算され、ＣＰＵ５１でｆｎが算出される。算出されたｆｎはレジスタＲｎに送信され、順次更新・記憶される。
【００３６】
現在値ｆｎａ、前回の履歴ｆｎｂ、および前々回の履歴ｆｎｃがレジスタＲｎからＣＰＵ５１に読み出され、これらのデータ、および閾値αが比較される。そして、この比較結果がｆｎｃ＜ｆｎｂ＞ｆｎａで、且つｆｎａ〜ｆｎｃ≧αとなったときに、そのエリアが合焦していると判断され、該当するエリア３１に合焦マーク３２が表示される。これら一連の処理は、レリーズボタン１２の半押しが解除されるまで繰り返し行われる。
【００３７】
ユーザーは、レリーズボタン１２を半押ししながらフォーカスリング１６を回動操作し、合焦させたいエリア３１に合焦マーク３２が表示されたときに、レリーズボタン１２を全押しして被写体画像の撮影を行う。このような構成であると、容易に所望の被写体に焦点を合わせることができる。
【００３８】
なお、移動・移動方向検出回路５４が設けられていない場合には、図１０、または図１１および図１２に示す処理を施せば、上記実施形態と同様の効果を得ることができる。なお、以下に説明する実施形態では、移動・移動方向検出回路５４が設けられていない以外は、上記実施形態と同様の構成であるので、図示および説明を省略する。
【００３９】
図１０において、まず、上記実施形態と同様に、ＭＦモードでフォーカス補助設定がオンであった場合、レリーズボタン１２を半押しすると、ＬＣＤ２０の表示画面２０ａに分割パターン３０が表示され、レジスタＲｎが初期化される。なお、レジスタＲｎは、エリア３１と同数の３６個分が確保されている。
【００４０】
レジスタＲｎの初期化後、輪郭抽出処理回路５６および信号積算回路５７で輪郭信号および画像信号が積算され、ＣＰＵ５１でｆｎが算出される。ＣＰＵ５１は、レジスタＲｎから前回の履歴を読み出して、算出したｆｎと前回の履歴とを比較し、この比較結果からフォーカスリング１６の移動方向が合焦に向かう方向であるか否かを判断する。すなわち、算出したｆｎが前回の履歴よりも大きく、且つｆｎ≧αとなったときに、フォーカスリング１６の移動方向が合焦に向かう方向であると判断され、該当するエリア３１に合焦マーク３２が表示される。
【００４１】
合焦マーク３２の表示後、算出されたｆｎはレジスタＲｎに送信され、自動的に更新・記憶される。これら一連の処理は、レリーズボタン１２の半押しが解除されるまで繰り返し行われる。
【００４２】
ユーザーは、レリーズボタン１２を半押ししながら、合焦させたいエリア３１に合焦マーク３２が表示される方向にフォーカスリング１６を回動操作し、同一方向に回動操作した状態で、合焦マーク３２の表示がオフになったときにレリーズボタン１２を全押しして被写体画像の撮影を行う。一眼レフタイプでレンズ交換式のデジタルカメラのように、フォーカスリング１６の移動・移動方向を検出することができないものでも本発明を適用することができる。
【００４３】
図１１および図１２に示す実施形態では、レリーズボタン１２の半押しではなく、操作部２１を構成するカーソル操作キーの右ボタンが操作されたときに、ＬＣＤ２０の表示画面２０ａに分割パターン３０を表示し、カーソル操作キーの左ボタンが操作されたときに、分割パターン３０の表示をオフにする。また、レジスタＲｎは、合焦マーク３２の表示後、レリーズボタン１２が半押しされたときに、それまで記憶されていた履歴を、そのときに算出したｆｎに更新して記憶する。なお、分割パターン３０の表示選択は、単一の操作部材、例えばトグルスイッチにより行ってもよい。また、ｆｎを更新するための操作部材を、レリーズボタン１２とは別に設けてもよい。
【００４４】
図１１および図１２において、ＭＦモードでフォーカス補助設定がオンであった場合、カーソル操作キーの右ボタンを操作すると、ＬＣＤ２０の表示画面２０ａに分割パターン３０が表示され、レジスタＲｎが初期化される。
【００４５】
レジスタＲｎの初期化後、輪郭抽出処理回路５６および信号積算回路５７で輪郭信号および画像信号が積算され、ＣＰＵ５１でｆｎが算出される。ＣＰＵ５１は、レジスタＲｎから前回の履歴を読み出して、算出したｆｎと前回の履歴とを比較し、この比較結果からフォーカスリング１６の移動方向が合焦に向かう方向であるか否かを判断する。すなわち、算出したｆｎが前回の履歴よりも大きく、且つｆｎ≧αとなったときに、フォーカスリング１６の移動方向が合焦に向かう方向であると判断され、該当するエリアに合焦マーク３２が表示される。
【００４６】
合焦マーク３２の表示後、カーソル操作キーの左ボタンが操作されると、分割パターン３０の表示がオフされる。カーソル操作キーの左ボタンが操作されず、レリーズボタン１２が半押しされると、レジスタＲｎにそれまで記憶されていた履歴が、そのときに算出したｆｎに更新して記憶される。一方、レリーズボタン１２が半押しされなかった場合は、レジスタＲｎに記憶されているｆｎを更新せずに、これら一連の処理を繰り返し実行する。
【００４７】
図１３に示すように、ユーザーは、カーソル操作キーの右ボタンを操作して、分割パターン３０をＬＣＤ２０に表示させ、合焦させたいエリア３１に着目して、目視で合焦方向にフォーカスリング１６を回動操作する。この状態でレリーズボタン１２を半押しして、そのときに算出されたｆｎａをレジスタＲｎに記憶する（状態１）。このとき、合焦マーク３２は、ａ−ａの範囲で表示される。
【００４８】
次に、合焦マーク３２が表示されている範囲の中間位置にフォーカスリング１６を回動操作する。この状態でレリーズボタン１２を再び半押しして、そのときに算出されたｆｎｂにそれまで記憶されていたｆｎａを更新してレジスタＲｎに記憶する（状態２）。以下同様にして、フォーカスリング１６を回動操作し、状態３でレリーズボタン１２を半押しして、ｆｎｃをレジスタＲｎに記憶する。この状態３で、合焦させたいエリア３１に合焦マーク３２が表示されるようにフォーカスリング１６を回動操作する。このようにすると、フォーカスリング１６の移動方向を一方向に限定することなく、合焦状態を検出することができる。
【００４９】
【発明の効果】
以上のように、本発明の撮像装置によれば、フォーカス調節部材の操作時に、画像表示手段の表示画面を複数のエリアに分割するとともに、エリアの合焦状態をエリア毎に区別して表示する表示制御手段を設けたので、撮影レンズの手動焦点調整を容易に行うことができ、且つ高い精度でユーザーの意図した箇所に合焦させることができる。
【図面の簡単な説明】
【図１】本発明を適用したデジタルカメラの概略構成を示す正面斜視図である。
【図２】デジタルカメラの背面図である。
【図３】ＬＣＤに分割パターンを表示した状態を示す図である。
【図４】分割パターンの他の例を示す図である。
【図５】ＭＦモード設定画面を示す図である。
【図６】デジタルカメラの電気的構成を示すブロック図である。
【図７】フォーカスリングの移動距離に対するフォーカス評価値の遷移を示すグラフである。
【図８】合焦状態を検出する処理手順を示すフローチャートである。
【図９】合焦状態を検出する処理手順を示すフローチャートである。
【図１０】本発明の別の実施形態による合焦状態検出の処理手順を示すフローチャートである。
【図１１】本発明のさらに別の実施形態による合焦状態検出の処理手順を示すフローチャートである。
【図１２】本発明のさらに別の実施形態による合焦状態検出の処理手順を示すフローチャートである。
【図１３】本発明のさらに別の実施形態によるフォーカスリングの移動距離に対するフォーカス評価値の遷移を示すグラフである。
【符号の説明】
２  デジタルカメラ
１０  撮影レンズ
１２  レリーズボタン
１６  フォーカスリング
１７  ＡＦ／ＭＦ切替スイッチ
１８  電子ビューファインダ（ＥＶＦ）
２０  液晶表示器（ＬＣＤ）
２１  操作部
３０  分割パターン
３１  エリア
３２  合焦マーク
４０  ＣＣＤ
４４  分割ゲート回路
４８  メモリカード
５１  ＣＰＵ
５４  移動・移動方向検出回路
５５  ＳＤＲＡＭ
５６  輪郭抽出処理回路
５７  信号積算回路
【図１】
2004309915.tif 000003
【図２】
2004309915.tif 000004
【図３】
2004309915.tif 000005
【図４】
2004309915.tif 000006
【図５】
2004309915.tif 000007
【図６】
2004309915.tif 000008
【図７】
2004309915.tif 000009
【図８】
2004309915.tif 000010
【図９】
2004309915.tif 000011
【図１０】
2004309915.tif 000012
【図１１】
2004309915.tif 000013
【図１２】
2004309915.tif 000014
【図１３】
2004309915.tif 000015